(57)【要約】【課題】デジタル放送受信装置において、ＴＶ番組の録画が失敗することを防ぐ。【解決手段】ＴＶ受像機とＨＤＲとはＨＤＭＩケーブルを介して接続されている。ＨＤＲは、チュ−ナ部を用いてデジタル放送信号を受信中に、トランスポートストリーム内のＮＩＴからネットワ−ク変更通知情報を取得して、メモリに記憶する（Ｓ１）。そして、ユ−ザがＴＶ番組の録画予約又は視聴予約を指示すると（Ｓ２）、ＨＤＲは、ネットワ−ク変更通知情報に基づき、ユ−ザによって録画予約又は視聴予約が指示されたＴＶ番組の受信中に、ネットワ−クの変更が行われるか否かを判断する（Ｓ３）。この判断の結果、ネットワ−クの変更が行われると判断したときに（Ｓ４でＹＥＳ）、ＨＤＲ３は、ＴＶ番組の予約を不可にし（Ｓ５）、ユ−ザによって録画予約又は視聴予約が指示されたＴＶ番組の予約ができない旨のメッセ−ジをＯＳＤでＴＶ受像機に表示する（Ｓ６）。【選択図】図４
2012049730.tif 000002
【特許請求の範囲】
【請求項１】
放送局から配信されるデジタル放送信号を受信する受信手段と、
前記受信手段によって受信されたデジタル放送信号のトランスポートストリーム内のＮＩＴ（Ｎｅｔｗｏｒｋ  Ｉｎｆｏｒｍａｔｉｏｎ  Ｔａｂｌｅ）からネットワークの変更を通知する旨のネットワ−ク変更通知情報を抽出するネットワ−ク変更通知情報抽出手段と、
装置各部を制御する制御手段とを備えるデジタル放送受信装置において、
ユ−ザによってテレビジョン番組の録画予約又は視聴予約が指示されたときに、前記ネットワ−ク変更通知情報抽出手段によって抽出された前記ネットワ−ク変更通知情報の内容に基づいて、前記録画予約又は視聴予約が指示されたテレビジョン番組の受信中にネットワ−クの変更が行われるか否かを判断するネットワーク変更有無判断手段をさらに備え、
前記制御手段は、前記ネットワ−ク変更有無判断手段を用いて、前記録画予約又は視聴予約が指示されたテレビジョン番組の受信中にネットワ−クの変更が行われると判断したときに、該録画予約又は視聴予約が指示されたテレビジョン番組の予約を不可にするようにしたことを特徴とするデジタル放送受信装置。
【請求項２】
各種メッセージをユーザに報知するための報知手段をさらに備え、
前記制御手段は、前記ネットワ−ク変更有無判断手段を用いて、前記録画予約又は視聴予約が指示されたテレビジョン番組の受信中にネットワ−クの変更が行われると判断したときに、前記報知手段を用いてユ−ザに、前記録画予約又は視聴予約が指示されたテレビジョン番組の予約をすることができない旨を報知することを特徴とする請求項１に記載のデジタル放送受信装置。
【発明の詳細な説明】
【技術分野】
【０００１】
本発明は、放送局から配信されるデジタル放送信号を受信可能なデジタル放送受信装置に関する。
【背景技術】
【０００２】
近年、例えば欧州のデジタルテレビ放送においては、ネットワークの変更を通知するためのネットワーク変更通知情報を含むトランスポートストリーム（ＴＳ）が配信される予定である。ネットワ−ク変更通知情報は、ネットワ−クの移行開始時間や移行作業時間等の情報を含むものである。
【０００３】
従来から、ユ−ザによって録画予約が指示されたテレビジョン（以下、ＴＶという）番組を録画する録画装置が普及している。この録画装置は、ユ−ザによって録画予約が指示されたＴＶ番組について放送開始時間から放送終了時間まで録画を行う。すなわち、この録画装置は、ＴＶ番組の受信中（録画中）にネットワークが変更された場合であっても、放送開始時間から放送終了時間まで常に録画を行う。従って、ネットワ−クが変更された後の録画は、映像が写っていない等の録画が失敗した状態になるという問題がある。また、ユ−ザは、機器が故障しているために録画が失敗したと間違った判断をしてしまうことがある。
【０００４】
これに対して、下記の特許文献１には、電子番組ガイド情報から番組表を生成すると共に、携帯端末のスケジュール記憶部に記憶されたスケジュール情報を取得し、時間軸を共通として番組表とスケジュール表とを並べて表示する放送受信装置が開示されている。しかしながら、この放送受信装置では上記問題を解決できない。
【０００５】
また、特許文献２には、コンテンツ毎にコンテンツ関連情報であるメタデータを添付し、これらの情報に基づき、視聴者の視聴制御、コピー制御、暗号/復号制御等を行いコンテンツの権利保護が可能なデ−タ配信方法が開示されている。しかしながら、このデ−タ配信方法では上記問題を解決できない。
【０００６】
また、特許文献３には、ファイル管理部において、番組の関連情報の中からＩＤ、番組開始時間を組み合わせてファイルを作成してＨＤＤに書き込み、視聴者の指示により再生するときに、ＨＤＤ中の該当するファイルから対象となる番組のファイルを読み出して再生するデジタル放送受信端末装置が開示されている。しかしながら、このデジタル放送受信端末装置では上記問題を解決できない。
【先行技術文献】
【特許文献】
【０００７】
【特許文献１】特開２００３−２３００６４号公報
【特許文献２】特開２００２−２４７０２４号公報
【特許文献３】特開平１１−３５５６８６号公報
【発明の概要】
【発明が解決しようとする課題】
【０００８】
本発明は、上述した問題点を解決するためになされたものであり、ＴＶ番組の録画が失敗することを防ぐことが可能なデジタル放送受信装置を提供することを目的とする。
【課題を解決するための手段】
【０００９】
上記目的を達成するために請求項１の発明は、放送局から配信されるデジタル放送信号を受信する受信手段と、前記受信手段によって受信されたデジタル放送信号のトランスポートストリーム内のＮＩＴ（Ｎｅｔｗｏｒｋ  Ｉｎｆｏｒｍａｔｉｏｎ  Ｔａｂｌｅ）からネットワークの変更を通知する旨のネットワ−ク変更通知情報を抽出するネットワ−ク変更通知情報抽出手段と、装置各部を制御する制御手段とを備えるデジタル放送受信装置において、ユ−ザによってテレビジョン番組の録画予約又は視聴予約が指示されたときに、前記ネットワ−ク変更通知情報抽出手段によって抽出された前記ネットワ−ク変更通知情報の内容に基づいて、前記録画予約又は視聴予約が指示されたテレビジョン番組の受信中にネットワ−クの変更が行われるか否かを判断するネットワーク変更有無判断手段をさらに備え、前記制御手段は、前記ネットワ−ク変更有無判断手段を用いて、前記録画予約又は視聴予約が指示されたテレビジョン番組の受信中にネットワ−クの変更が行われると判断したときに、該録画予約又は視聴予約が指示されたテレビジョン番組の予約を不可にするようにしたものである。
【００１０】
請求項２に記載の発明は、請求項１に記載のデジタル放送受信装置において、各種メッセージをユーザに報知するための報知手段をさらに備え、前記制御手段は、前記ネットワ−ク変更有無判断手段を用いて、前記録画予約又は視聴予約が指示されたテレビジョン番組の受信中にネットワ−クの変更が行われると判断したときに、前記報知手段を用いてユ−ザに、前記録画予約又は視聴予約が指示されたテレビジョン番組の予約をすることができない旨を報知するものである。
【発明の効果】
【００１１】
請求項１の発明によれば、ユ−ザによって録画予約又は視聴予約が指示されたテレビジョン番組の受信中にネットワ−クの変更が行われる場合は、ユ−ザによって録画予約又は視聴予約が指示されたテレビジョン番組の予約を不可にする。これにより、テレビジョン番組が途中までしか録画できていない録画失敗状態が発生することを容易に防ぐことができる。
【００１２】
請求項２の発明によれば、ユ−ザによって録画予約又は視聴予約が指示されたテレビジョン番組の受信中にネットワ−クの変更が行われる場合は、ユ−ザに録画予約又は視聴予約が指示されたテレビジョン番組の予約をすることができない旨を報知する。そのため、ユ−ザは、録画予約又は視聴予約を指示したテレビジョン番組の受信中にネットワ−クが変更されることを容易に知ることができる。従って、機器の故障によって録画が失敗している等の誤判断を防ぐことができるので、ユ−ザにとって使い勝手が良い。
【図面の簡単な説明】
【００１３】
【図１】本発明の一実施形態に係るＴＶ受像機と、このＴＶ受像機に接続されたＨＤＲとを含む番組録画システムを示す斜視図。
【図２】上記ＴＶ受像機の内部構成を示すブロック図。
【図３】上記ＨＤＲの内部構成を示すブロック図。
【図４】上記ＨＤＲにおけるＴＶ番組の予約処理の手順を示すフローチャート。
【図５】上記予約処理においてディスプレイに表示されるメッセ−ジの一例を示す説明図。
【図６】上記予約処理においてディスプレイに表示されるメッセ−ジの別の一例を示す説明図。
【発明を実施するための最良の形態】
【００１４】
以下、本発明の一実施形態に係るハードディスクレコーダ（請求項におけるデジタル放送受信装置）について、図１乃至図３を参照して説明する。図１は、テレビジョン（以下、ＴＶという）受像機２と、このＴＶ受像機２にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４を介して接続されたハードディスクレコーダ（以下、ＨＤＲという）３とを含む番組録画システム１の概略構成を示す。図２は、ＴＶ受像機２の内部構成を示し、図３は、ＨＤＲ３の内部構成を示す。リモコン５は、ユーザによって操作され、ＨＤＲ３に対して各種の動作指示を行うためのものである。ＴＶ受像機２は、ＨＤＭＩケーブル４を介して、ＨＤＲ３から送信された映像をディスプレイ２２に表示可能であり、音声をスピーカ２３から出力可能である。
【００１５】
図２に示すように、ＴＶ受像機２は、放送局から配信されるデジタル放送信号を受信するチューナ部２１と、チューナ部２１によって受信されたデジタルイ２２と、ＴＶ番組の音声を出力するスピーカ２３と、各種操作ボタンを有する操作部２４とを備える。また、ＴＶ受像機２は、ＴＶ受像機２の筐体外部に露出するように設けられたＨＤＭＩ端子部２５と、各種情報が記憶されたメモリ２６と、ＴＶ受像機２の各部を制御するための制御用マイコン２０とをさらに備える。
【００１６】
ＨＤＭＩ端子部２５には、ＨＤＲ３と接続されたＨＤＭＩケーブル４の一端が接続されている。メモリ２６は、制御用マイコン２０を動作させるためのプログラム２６ａを記憶している。
【００１７】
制御用マイコン２０は、映像出力部２０ａと、音声出力部２０ｂとを有し、ユーザによる操作部２４の操作等に基づいて自装置を動作させる。
【００１８】
映像出力部２０ａは、チューナ部２１によって受信されたＴＶ番組の映像や、ＨＤＭＩケーブル４を介してＨＤＲ３から受信したＴＶ番組の映像やＯＳＤ（Ｏｎ  Ｓｃｒｅｅｎ  Ｄｉｓｐｌａｙ）をディスプレイ２２に表示する。音声出力部２０ｂは、チューナ部２１によって受信されたＴＶ番組の音声や、ＨＤＭＩケーブル４を介してＨＤＲ３から受信したＴＶ番組の音声をスピーカ２３に出力する。
【００１９】
図３に示すように、ＨＤＲ３は、放送局から配信されるデジタル放送信号を受信するチューナ部（受信手段）３１と、各種指示を行うための複数の操作ボタンを有するリモコン５から送信される操作信号を受信するためのリモコン信号受信部３２と、ＨＤＲ３の筐体外部に露出するように設けられたＨＤＭＩ端子部３３とを備える。また、ＨＤＲ３は、各種情報を記憶したメモリ３４と、チューナ部３１によって受信されたＴＶ番組を録画するハードディスク（以下、ＨＤＤという）３５と、ＨＤＤ３５に対するＴＶ番組の書き込みや読み出しを行うアクセス部３６と、装置各部の制御を行う制御用マイコン（制御手段）３０とをさらに備える。
【００２０】
チューナ部３１は、ＭＰＥＧ−２方式等で符号化されたＴＶ番組のデジタル放送信号を復号可能なデコーダ３１ａを有し、放送局からＴＶ番組や各種情報が記載されたＮＩＴ（Ｎｅｔｗｏｒｋ  Ｉｎｆｏｒｍａｔｉｏｎ  Ｔａｂｌｅ）等を受信して制御用マイコン３０に出力する。デコーダ３１ａは、デジタル放送信号のトランスポートストリームに含まれる番組ストリームを映像信号及び音声信号に復号する。
【００２１】
ＮＩＴは、ＳＩ（Ｓｅｒｖｉｃｅ  Ｉｎｆｏｒｍａｔｉｏｎ）規格に基づく情報であり、「ｎｅｔｗｏｒｋ＿ｃｈａｎｇｅ＿ｎｏｔｉｆｙ＿ｄｅｓｃｒｉｐｔｏｒ」というネットワークの変更を通知する記述子を含むものである。この記述子は、ネットワ−クの変更開始時間を示す「Ｓｔａｒｔ＿ｔｉｍｅ＿ｏｆ＿ｃｈａｎｇｅ」、ネットワ−クの移行作業期間を示す「Ｃｈａｎｇｅ＿ｄｕｒａｔｉｏｎ」、及びネットワ−クの変更タイプを示す「Ｃｈａｎｇｅ＿ｔｙｐｅ」を含むものである。
【００２２】
ＨＤＭＩ端子部３３には、ＴＶ受像機２と接続されたＨＤＭＩケーブル４の他端が接続される。メモリ３４は、制御用マイコン３０を動作させるためのプログラム３４ａと、予約番組情報３４ｂと、ネットワ−ク変更通知情報３４ｃとを記憶している。
【００２３】
予約番組情報３４ｂは、ユ−ザによって録画予約や視聴予約が指示されたＴＶ番組の情報を格納している。具体的には例えば、予約番組情報３４ｂは、ユ−ザによって録画予約又は視聴予約されたＴＶ番組のチャンネル、放送開始時間、及び放送終了時間等の情報を格納している。
【００２４】
ネットワ−ク変更通知情報３４ｃは、ＮＩＴに格納されている「ｎｅｔｗｏｒｋ＿ｃｈａｎｇｅ＿ｎｏｔｉｆｙ＿ｄｅｓｃｒｉｐｔｏｒ」の内容に基づく、ネットワ−クの変更開始時間や移行作業期間等の情報を格納している。
【００２５】
制御用マイコン３０は、再生制御部３０ａと、録画制御部３０ｂと、ネットワーク変更通知情報抽出部（ネットワ−ク変更通知情報抽出手段）３０ｃと、ネットワ−ク変更有無判断部（ネットワーク変更有無判断手段）３０ｄと、ＯＳＤ出力部（報知手段）３０ｅとを有し、ユーザによるリモコン５の操作に基づいて自装置を動作させる。具体的には例えば、制御用マイコン３０は、ユ−ザによってＴＶ番組の録画予約や視聴予約が指示されたとき、そのＴＶ番組の受信中にネットワ−クの変更が行なわれない場合に予約を完了するための一連の予約処理を行う。
【００２６】
再生制御部３０ａは、アクセス部３６を用いてＨＤＤ３５から読み出されたＴＶ番組の再生を行い、再生されたＴＶ番組の映像信号及び音声信号を、ＨＤＭＩケーブル４を介して、ＴＶ受像機２に出力する処理を行う。また、再生制御部３０ａは、ユーザによる視聴予約の指示に基づきチューナ部３１によって受信したＴＶ番組を、ＨＤＭＩケーブル４を介して、ＴＶ受像機２に出力する処理を行う。
【００２７】
録画制御部３０ｂは、ユーザによる録画指示に基づき、チューナ部３１によって受信したＴＶ番組を、アクセス部３６を用いてＨＤＤ３５に録画する処理を行う。
【００２８】
ネットワ−ク変更通知情報抽出部３０ｃは、チュ−ナ部３１によって受信されたデジタル放送信号のトランスポートストリーム内のＮＩＴから「ｎｅｔｗｏｒｋ＿ｃｈａｎｇｅ＿ｎｏｔｉｆｙ＿ｄｅｓｃｒｉｐｔｏｒ」の内容に基づくネットワ−ク変更通知情報３４ｃを抽出して、メモリ３４に記憶する。
【００２９】
ネットワ−ク変更有無判断部３０ｄは、ユ−ザによってＴＶ番組の録画予約又は視聴予約が指示されたときに、ネットワ−ク変更通知情報３４ｃの内容に基づいて、録画予約又は視聴予約が指示されたＴＶ番組の受信中にネットワ−クの変更が行われるか否かを判断する。具体的には例えば、ユ−ザによってＰＭ２３：００〜ＰＭ２３：５４に放送されるＴＶ番組の録画予約が指示された場合に、ネットワ−ク変更通知情報３４ｃの内容が、「ネットワ−クの変更開始時間がＰＭ２３：３０であり、ネットワ−クの移行作業期間が２時間」である場合、ユ−ザによって録画予約が指示されたＴＶ番組の受信中にネットワ−クの変更が行われると判断する。
【００３０】
ＯＳＤ出力部３０ｅは、各種のメッセージや画面等の映像信号を、ＨＤＭＩケーブル４を介して、ＴＶ受像機２に出力する処理を行う。
【００３１】
次に、ＨＤＲ３におけるＴＶ番組の予約処理について、図４乃至図６を参照して説明する。図４は、ＴＶ番組の予約処理の手順を示すフローチャートである。図５及び図６は、ＴＶ受像機２のディスプレイ２２にＯＳＤで表示されるメッセ−ジの一例を示す。ここでは、予めＴＶ受像機２とＨＤＲ３とは、ＨＤＭＩケーブル４を介して接続されているものとする。
【００３２】
まず、ＨＤＲ３の制御用マイコン３０は、チュ−ナ部３１を用いてデジタル放送信号を受信中に、ネットワ−ク変更通知情報抽出部３０ｃを用いて、トランスポートストリーム内のＮＩＴからネットワ−ク変更通知情報３４ｃを取得して、メモリ３４に記憶する（Ｓ１）。
【００３３】
そして、ユ−ザがリモコン５を操作することにより、ＴＶ番組の録画予約又は視聴予約を指示すると（Ｓ２）、制御用マイコン３０は、ネットワ−ク変更有無判断部３０ｄを用いて、ユ−ザによって録画予約又は視聴予約が指示されたＴＶ番組の受信中（録画中）に、ネットワ−クの変更が行われるか否かを判断する（Ｓ３）。
【００３４】
上記Ｓ３の判断の結果、ネットワ−クの変更が行われると判断したときに（Ｓ４でＹＥＳ）、制御用マイコン３０は、ユ−ザによって録画予約又は視聴予約が指示されたＴＶ番組の予約を不可にする（予約処理を実行しない）（Ｓ５）。そして、制御用マイコン３０は、ＯＳＤ出力部３０ｅを用いて、ユ−ザによって録画予約又は視聴予約が指示されたＴＶ番組の予約をすることができない旨のメッセ−ジをＯＳＤでＴＶ受像機２のディスプレイ２２に表示する（Ｓ６）。
【００３５】
上記Ｓ６でディスプレイ２２に表示されるメッセ−ジは、例えば、図５に示すように、「ネットワ−ク変更時間と重なるため、そのＴＶ番組を録画予約できません。」というものや、図６に示すように、「ネットワ−ク変更時間と重なるため、そのＴＶ番組を録画予約できません。」というものである。
【００３６】
一方、上記Ｓ３の判断の結果、ネットワ−クの変更が行われない場合（Ｓ４でＮＯ）、制御用マイコン３０は、ユ−ザによって録画予約又は視聴予約が指示されたＴＶ番組の情報をメモリ３４の予約番組情報３４ｂに記憶して予約を完了する（Ｓ７）。
【００３７】
上述したように、本実施形態に係るＨＤＲ３においては、ユ−ザによって録画予約又は視聴予約が指示されたＴＶ番組の受信中にネットワ−クの変更が行われる場合は、ユ−ザによって録画予約又は視聴予約が指示されたＴＶ番組の予約を不可にする（予約処理を実行しない）。これにより、ＴＶ番組が途中までしか録画がされていない録画失敗状態が発生することを容易に防ぐことができるので、ユ−ザにとって使い勝手が良い。
【００３８】
また、ユ−ザによって録画予約又は視聴予約が指示されたＴＶ番組の受信中にネットワ−クの変更が行われる場合は、ユ−ザによって録画予約又は視聴予約が指示されたＴＶ番組の予約をすることができない旨のメッセ−ジをＯＳＤでディスプレイ２２に表示する。そのため、ユ−ザは、録画予約又は視聴予約を指示したＴＶ番組の受信中にネットワ−クが変更されることを容易に知ることができる。従って、機器の故障によって録画が失敗している等の誤判断を防ぐことができるので、ユ−ザにとって使い勝手が良い。
【００３９】
また、ＨＤＲ３は、ＳＩ規格に基づく「ｎｅｔｗｏｒｋ＿ｃｈａｎｇｅ＿ｎｏｔｉｆｙ＿ｄｅｓｃｒｉｐｔｏｒ」記述子の内容に基づくネットワーク変更通知情報３４ｃを用いて、ユ−ザによって録画予約又は視聴予約が指示されたＴＶ番組の受信中にネットワ−クの変更が行われるか否かを判断するので、独自プロトコルに対応した専用機器等の導入コストをかける必要がない。従って、ＨＤＲ３の製造コストを抑制することができる。
【００４０】
なお、本発明は、上記実施形態の構成に限られず、発明の趣旨を変更しない範囲で種々の変形が可能である。例えば、上記実施形態では、ユ−ザによって録画予約又は視聴予約が指示されたＴＶ番組の受信中にネットワークの変更があると判断した場合に、ディスプレイ２２にＯＳＤでメッセ−ジを表示することによりユーザに報知する例を示したが、これに限られず、スピ−カから音声を出力することによりユ−ザにその旨を報知してもよい。また、請求項に示すデジタル放送受信装置がＨＤＲである場合を示したが、これに限られず、例えば、視聴予約が可能なＴＶ受像機であってもよい。
【符号の説明】
【００４１】
３  ＨＤＲ（デジタル放送受信装置）
３０  制御用マイコン（制御手段）
３１  チューナ部（受信手段）
３０ｃ  ネットワーク変更通知情報判断部（ネットワ−ク変更通知情報抽出手段）
３０ｄ  ネットワ−ク変更有無判断部（ネットワーク変更有無判断手段）
３０ｅ  ＯＳＤ出力部（報知手段）
３４ｃ  ネットワ−ク変更通知情報
【図１】
2012049730.tif 000003
【図２】
2012049730.tif 000004
【図３】
2012049730.tif 000005
【図４】
2012049730.tif 000006
【図５】
2012049730.tif 000007
【図６】
2012049730.tif 000008